(57)【要約】【課題】既存の部材を流用して間仕切り部材及び角部用固定具を安価に利用して、間仕切り部材を設置する際のコストの低廉化を図る。【解決手段】左右の縦杆２２と各縦杆２２の上下両端を連結する上下の横杆２３とからなる枠体２０を備えた複数枚の柵部材２の互いに隣接し合う左右方向端２１同士をサークル本体１０の直線部１１ａ〜１１ｄにおいて直線部用固定具３により連結すると共に角部１２において角部用固定具４により連結してペット用サークル１Ａを構成する。各柵部材２の枠体２０と同一の枠体５０よりなる間仕切り部材５の一方の左右方向端５１とサークル本体１０の直線部１１ａにおいて互いに相隣なる一方の柵部材２における他方の柵部材２側の左右方向端２１とを、互いの裏側辺２１２，５１２同士のみを突き合わせた状態で角部用固定具４により連結すると共に、当該双方の柵部材２の縦杆２２同士を直線部用固定具３の縦杆用締結具３４によって連結する。【選択図】図２
2013212090.tif 000002
【特許請求の範囲】
【請求項１】
断面略矩形状の左右の縦杆とこれらの縦杆の上下両端を連結する断面略矩形状の上下の横杆とからなる枠体を備えた複数枚の柵部材の互いに隣接し合う左右方向端同士を、平面視でのサークル本体の真直ぐな直線部及び直角な角部においてそれぞれ連結して構成されるペット用サークルであって、
前記各柵部材のうち、前記サークル本体の直線部において互いに相隣なる双方の柵部材は、互いの左右方向端同士の表裏両側辺をそれぞれ突き合わせた状態で直線部用固定具により連結されている一方、前記サークル本体の角部において互いに相隣なる双方の柵部材は、互いの左右方向端同士の裏側辺のみを突き合わせた状態で角部用固定具により連結され、
前記各柵部材には、それぞれの枠体の表裏方向における隅部を当該各柵部材の表裏方向に貫通する表裏方向貫通孔が設けられているとともに、前記各縦杆を左右方向に貫通する左右方向貫通孔が設けられ、
前記直線部用固定具は、前記サークル本体の直線部において互いに相隣なる双方の柵部材の前記表裏方向貫通孔に対応する表裏方向対応孔を長手方向両端部に有する長尺材を当該双方の柵部材に亘って締結するように前記表裏方向貫通孔及び前記表裏方向対応孔にそれぞれ挿通される長尺材用締結具、並びに前記サークル本体の直線部において互いに相隣なる双方の柵部材の縦杆同士を締結するように当該双方の柵部材の縦杆同士の前記左右方向貫通孔にそれぞれ挿通される縦杆用締結具のいずれか一方を備えている一方、
前記角部用固定具は、前記サークル本体の角部において互いに相隣なる双方の柵部材の左右方向端同士の裏側辺に隣接する裏側面に対しそれぞれ半径面部が対面するように中心角度が９０°の扇状に形成され、かつ前記表裏方向貫通孔に対応する対応穴を前記各半径面部に有する扇状連結部材と、この扇状連結部材を前記サークル本体の角部において互いに相隣なる双方の柵部材の枠体の裏側面に締結するように前記表裏方向貫通孔から前記対応穴にそれぞれ挿通される螺着部材と、を備えており、
前記サークル本体には、当該サークル本体内を間仕切りする間仕切り部材が設けられ、
前記間仕切り部材は、前記表裏方向貫通孔及び前記左右方向貫通孔を有する前記各柵部材と同一の枠体を備えていて、
前記間仕切り部材の一方の左右方向端と前記サークル本体の直線部において互いに相隣なる双方の柵部材のうちの一方の柵部材における他方の柵部材側の左右方向端とが、互いの裏側辺同士のみを突き合わせた状態で前記角部用固定具により連結されているとともに、当該双方の柵部材の縦杆同士が前記縦杆用締結具によって連結されていることを特徴とするペット用サークル。
【請求項２】
前記間仕切り部材は複数枚用いられ、
これらの間仕切り部材は、前記双方の柵部材のうちの一方の柵部材に一方の左右方向端が連結された前記間仕切り部材の他方の左右方向端に対し、前記直線部用固定具及び前記角部用固定具により最後の間仕切り部材まで続けて連結して、前記サークル本体内を迷路状又は通路状に間仕切りしている請求項１に記載のペット用サークル。
【請求項３】
前記各間仕切り部材のうちの最後に連結された間仕切り部材の他方の左右方向端は、前記双方の柵部材とは前記サークル本体の周方向に離れた他の双方の柵部材のうちの一方の柵部材における他方の柵部材側の左右方向端に対し前記角部用固定具により直角に連結されて、前記サークル本体内に間仕切りされた空間を複数枚の間仕切り部材により画成している請求項２に記載のペット用サークル。
【請求項４】
前記間仕切り部材は、その枠体内を不透明又は半透明に目隠しするパネル材を備えている請求項１〜請求項３のいずれか１つに記載のペット用サークル。
【請求項５】
前記サークル本体は家屋内に設置され、当該サークル本体の各柵部材のうちの少なくとも前記家屋内の壁面に沿って配置される柵部材は、その枠体内を不透明又は半透明に目隠しするパネル材を備えている請求項１〜請求項４のいずれか１つに記載のペット用サークル。
【請求項６】
前記各柵部材のうちの少なくとも１枚の柵部材は、前記左右の縦杆とこれらの縦杆の上下両端のうちの少なくとも下端を連結する前記横杆とこれらの各杆により形成された出入口を開閉する扉とを備えた出入口用柵部材に置換されている請求項１〜請求項５のいずれか１つに記載のペット用サークル。
【請求項７】
前記各間仕切り部材のうちの少なくとも１枚の間仕切り部材は、前記左右の縦杆とこれらの縦杆の上下両端のうちの少なくとも下端を連結する前記横杆とこれらの各杆により形成された出入口を開閉する扉とを備えた出入口用間仕切り部材に置換されている請求項２〜請求項６のいずれか1つに記載のペット用サークル。
【発明の詳細な説明】
【技術分野】
【０００１】
本発明は、犬などのペット用サークルに関し、詳しくは、サークル本体を間仕切りするようにしたものに係る。
【背景技術】
【０００２】
近年、子犬等のペットを家屋内の一定の場所に入れておくために、ペット用サークルが用いられている。
このペット用サークルは、断面略矩形状の左右の縦杆とこれらの縦杆の上下両端同士を連結する断面略矩形状の横杆とを有する枠体を備えた複数枚の柵部材を真直ぐおよび／または直角に連結具により連結して構成され、そのサークル本体内にペットを収容するようにしている（特許文献１参照）。
【先行技術文献】
【特許文献】
【０００３】
【特許文献１】特開２００７−１８９９３８号公報
【発明の概要】
【発明が解決しようとする課題】
【０００４】
ところで、ペットサークルが複数の柵部材によって外郭のみが構成されているため、ペット用サークル内に複数のペットを収容する場合には、ペット同士が互いに接触しやすく、その接触によって不具合が生じることがある。具体的には、トイレで用便しているペットに対し他のペットが接触すると、用便に集中できなかったり、周囲を汚すおそれがある。また、睡眠中のペットに対し他のペットが接触すると、ペットの睡眠の邪魔となり、安眠の妨げとなりやすい。
【０００５】
また、ペット用サークル内に単数のペットを収容している場合においても、飼い主がペットのしつける上で、トイレの場所や睡眠場所又は食事場所をペットに認識させるのが難しく、ペットのしつけを効果的に行えない。
【０００６】
そこで、サークル本体内に間仕切り部材を設け、複数のペットを収容した際のペット同士の接触を緩和させるようにしたり、単数のペットを収容した際のペットのしつけを効果的に行えるようにすることが考えられる。しかし、間仕切り部材は柵部材と異なる規格外のものとなるため、間仕切り部材を新たに製作するに当たってコストが高くつく上、間仕切り部材を柵部材に連結するための専用の連結具も別途用意する必要があり、間仕切り部材を設置する際にコストが非常に高くつく。
【０００７】
本発明は、かかる点に鑑みてなされたものであり、その目的とするところは、既存の部材を流用して間仕切り部材および連結具が安価に製作できるようにして、間仕切り部材を設置する際のコストの低廉化を図ることにある。
【課題を解決するための手段】
【０００８】
前記目的を達成するため、本発明では、断面略矩形状の左右の縦杆とこれらの縦杆の上下両端を連結する断面略矩形状の上下の横杆とからなる枠体を備えた複数枚の柵部材の互いに隣接し合う左右方向端同士を、平面視でのサークル本体の真直ぐな直線部及び直角な角部においてそれぞれ連結して構成されるペット用サークルを前提とする。そして、前記各柵部材のうち、前記サークル本体の直線部において互いに相隣なる双方の柵部材を、互いの左右方向端同士の表裏両側辺をそれぞれ突き合わせた状態で直線部用固定具により連結する一方、前記サークル本体の角部において互いに相隣なる双方の柵部材を、互いの左右方向端同士の裏側辺のみを突き合わせた状態で角部用固定具により連結する。更に、前記各柵部材に、それぞれの枠体の表裏方向における隅部を当該各柵部材の表裏方向に貫通する表裏方向貫通孔を設けるとともに、前記各縦杆を左右方向に貫通する左右方向貫通孔を設ける。また、前記直線部用固定具に、前記サークル本体の直線部において互いに相隣なる双方の柵部材の前記表裏方向貫通孔に対応する表裏方向対応孔を長手方向両端部に有する長尺材を当該双方の柵部材に亘って締結するように前記表裏方向貫通孔及び前記表裏方向対応孔にそれぞれ挿通される長尺材用締結具、並びに前記サークル本体の直線部において互いに相隣なる双方の柵部材の縦杆同士を締結するように当該双方の柵部材の縦杆同士の前記左右方向貫通孔にそれぞれ挿通される縦杆用締結具のいずれか一方を備える。一方、前記角部用固定具に、前記サークル本体の角部において互いに相隣なる双方の柵部材の左右方向端同士の裏側辺に隣接する裏側面に対しそれぞれ半径面部が対面するように中心角度が９０°の扇状に形成され、かつ前記表裏方向貫通孔に対応する対応穴を前記各半径面部に有する扇状連結部材と、この扇状連結部材を前記サークル本体の角部において互いに相隣なる双方の柵部材の枠体の裏側面に締結するように前記表裏方向貫通孔から前記対応穴にそれぞれ挿通される螺着部材と、を備える。加えて、前記サークル本体に、当該サークル本体内を間仕切りする間仕切り部材を設け、前記間仕切り部材に、前記表裏方向貫通孔及び前記左右方向貫通孔を有する前記各柵部材と同一の枠体を備える。そして、前記間仕切り部材の一方の左右方向端と前記サークル本体の直線部において互いに相隣なる双方の柵部材のうちの一方の柵部材における他方の柵部材側の左右方向端とを、互いの裏側辺同士のみを突き合わせた状態で前記角部用固定具により連結するとともに、当該双方の柵部材の縦杆同士を前記縦杆用締結具によって連結することを特徴としている。
【０００９】
また、前記間仕切り部材を複数枚用い、これらの間仕切り部材を、前記双方の柵部材のうちの一方の柵部材に一方の左右方向端が連結された前記間仕切り部材の他方の左右方向端に対し、前記直線部用固定具及び前記角部用固定具により最後の間仕切り部材まで続けて連結して、前記サークル本体内を迷路状又は通路状に間仕切りしていてもよい。
【００１０】
また、前記各間仕切り部材のうちの最後に連結された間仕切り部材の他方の左右方向端を、前記双方の柵部材とは前記サークル本体の周方向に離れた他の双方の柵部材のうちの一方の柵部材における他方の柵部材側の左右方向端に対し前記角部用固定具により直角に連結して、前記サークル本体内に間仕切りされた空間を複数枚の間仕切り部材により画成していてもよい。
【００１１】
また、前記間仕切り部材に、その枠体内を不透明又は半透明に目隠しするパネル材を備えていてもよい。
【００１２】
また、前記サークル本体を家屋内に設置し、当該サークル本体の各柵部材のうちの少なくとも前記家屋内の壁面に沿って配置される柵部材に、その枠体内を不透明又は半透明に目隠しするパネル材を備えていてもよい。
【００１３】
また、前記各柵部材のうちの少なくとも１枚の柵部材を、前記左右の縦杆とこれらの縦杆の上下両端のうちの少なくとも下端を連結する前記横杆とこれらの各杆により形成された出入口を開閉する扉とを備えた出入口用柵部材に置換していてもよい。
【００１４】
更に、前記各間仕切り部材のうちの少なくとも１枚の間仕切り部材を、前記左右の縦杆とこれらの縦杆の上下両端のうちの少なくとも下端を連結する前記横杆とこれらの各杆により形成された出入口を開閉する扉とを備えた出入口用間仕切り部材に置換していてもよ
【発明の効果】
【００１５】
以上、要するに、表裏方向貫通孔および左右方向貫通孔を有する各柵部材と同一の枠体を備えた間仕切り部材を用いることで、各柵部材を流用してこれと同一の枠体からなる間仕切り部材が製作される。そして、間仕切り部材の一方の左右方向端とサークル本体の直線部において互いに相隣なる双方の柵部材のうちの一方の柵部材における他方の柵部材側の左右方向端とを、互いの裏側辺同士のみを突き合わせた状態で前記角部用固定具により連結している。これにより、同一の枠体よりなる各柵部材を流用した間仕切り部材によって、各柵部材の枠体を共有した間仕切り部材を製作する際のコストを低く抑えることができる。その上、間仕切り部材を柵部材に連結するための専用の連結具が不要となり、サークル本体の角部において柵部材の左右方向端同士を連結する角部用固定具をそのまま用いて間仕切り部材を柵部材に連結することができる。よって、間仕切り部材を設置する際のコストを低く抑えることができる。
【００１６】
また、複数枚の間仕切り部材を、双方の柵部材のうちの一方の柵部材に一方の左右方向端が連結された間仕切り部材の他方の左右方向端に対し直線部用固定具及び角部用固定具により最後の間仕切り部材まで続けて連結して、サークル本体内を迷路状又は通路状に間仕切りすることで、サークル本体内を複数枚の間仕切り部材によって広範囲に間仕切って、複数収容した際のペット同士の接触を効率よく緩和することができる一方、単数収容した際のペットのしつけを効果的に行うことができる。
【００１７】
また、各間仕切り部材のうちの最後に連結された間仕切り部材の他方の左右方向端をサークル本体の周方向に離れた他の双方の柵部材のうちの一方の柵部材における他方の柵部材側の左右方向端に角部用固定具により直角に連結して、サークル本体内に間仕切りされた空間を複数枚の間仕切り部材により画成することで、サークル本体内の所望する位置で空間を画成でき、用途に応じてペット同士の接触を確実に防止することができる一方、単数収容した際のペットのしつけをより効果的に行うことができる。
【００１８】
また、前記間仕切り部材の枠体内をパネル材で目隠しすることで、サークル本体内を間仕切る間仕切り部材によって視野に入れたくないトイレなどの部位が目隠しされ、視野に入れたくない部位でのペットの所作を効率よく隠すことができる。
【００１９】
また、サークル本体の各柵部材のうちの少なくとも家屋内の壁面に沿って配置される柵部材の枠体内をパネル材で目隠しすることで、家屋内の壁面がパネル材によって保護され、家屋内の壁面を清浄に保つことができる。
【００２０】
また、サークル本体の各柵部材のうちの少なくとも１枚の柵部材を、左右の縦杆とこの各縦杆の上下両端のうちの少なくとも下端を連結する横杆とで形成した出入口を開閉する扉を備えた出入口用柵部材に置換することで、サークル本体内からのペットの出し入れを円滑に行うことができる。
【００２１】
更に、サークル本体内に空間を画成する複数枚の間仕切り部材のうちの少なくとも一枚の間仕切り部材を、左右の縦杆とこの各縦杆の上下両端のうちの少なくとも下端を連結する横杆とで形成した出入口を開閉する扉を備えた出入口用間仕切り部材に置換することで、間仕切り部材により画成された空間からのペットの出入りを円滑に行うことができる上、ペットの行動範囲を空間内とサークル本体内とに簡単に切り換えることができる。
【図面の簡単な説明】
【００２２】
【図１】本発明の第１の実施の形態に係るペット用サークルの平面図である。
【図２】図１のペット用サークルの斜視図である。
【図３】図２のペット用サークルのサークル本体の直線部において互いに相隣なる双方の柵部材の左右方向端同士を連結する直線部用固定具の分解斜視図である。
【図４】図２のペット用サークルのサークル本体の角部において互いに相隣なる双方の柵部材の左右方向端同士を連結する角部用固定具の分解斜視図である。
【図５】図４の角部用固定部により連結される柵部材の左右方向端同士を斜め下方から見た斜視図である。
【図６】間仕切り部材を連結する一方の柵部材と他方の柵部材との縦杆同士を縦杆用締結具によって連結している状態を示す横断平面図である。
【図７】本発明の第２の実施の形態に係るペット用サークルの平面図である。
【図８】第２の実施の形態の変形例に係るペット用サークルの平面図である。
【図９】図８のペット用サークルの斜視図である。
【図１０】第２の実施の形態のその他の変形例に係るペット用サークルの平面図である。
【図１１】第２の実施の形態のその他の変形例に係るペット用サークルの平面図である。
【図１２】本発明の第３の実施の形態に係るペット用サークルの平面図である。
【図１３】図１２のペット用サークルの斜視図である。
【図１４】第３の実施の形態の変形例に係るペット用サークルの平面図である。
【図１５】第３の実施の形態のその他の変形例に係るペット用サークルの平面図である。
【図１６】第３の実施の形態のその他の変形例に係るペット用サークルの平面図である。
【図１７】第３の実施の形態のその他の変形例に係るペット用サークルの平面図である。
【図１８】図１７のペット用サークルの斜視図である。
【図１９】本発明の第４の実施の形態に係るペット用サークルの平面図である。
【図２０】図１９のペット用サークルの斜視図である。
【図２１】第４の実施の形態の変形例に係るペット用サークルの平面図である。
【図２２】本発明の第５の実施の形態に係るペット用サークルの平面図である。
【図２３】図２２のペット用サークルの斜視図である。
【発明を実施するための形態】
【００２３】
以下、本発明の実施の形態を添付した図面により詳細に説明する。
【００２４】
先ず、図１は本発明の実施の形態に係るペット用サークルの斜視図、図２はペット用サークルの斜視図、図３はサークル本体の直線部において互いに相隣なる双方の柵部材の左右方向端同士を連結する直線部用固定具の分解斜視図、図４はサークル本体の角部において互いに相隣なる双方の柵部材の左右方向端同士を連結する角部用固定具の分解斜視図、図５は角部用固定部により連結される柵部材の左右方向端同士を斜め下方から見た斜視図、図６は間仕切り部材を連結する一方の柵部材と他方の柵部材とを縦杆用締結具によって連結している状態を示す横断平面図をそれぞれ示している。
【００２５】
図１及び図２において符号１Ａで示すペット用サークルは、木製の枠体２０を備えた複数枚の柵部材２，２，…の互いに隣接し合う左右方向端２１，２１同士を、平面視で見てサークル本体１０Ａの真直ぐな直線部１１及び直角に折れ曲がる角部１２においてそれぞれ連結して略矩形枠状に構成される。枠体２０は、断面略矩形状の左右の縦杆２２，２２と、これらの縦杆２２，２２の互いに向き合う対向面２２０，２２０の上下両端をそれぞれ連結する断面略矩形状の上下の横杆２３，２３と、からなる。また、サークル本体１０Ａは、縦方向（図１では上下方向）に２枚の柵部材２，２を直線状に連結した直線部１１ａ，１１ｂと、横方向（図１では左右方向）に３枚の柵部材２，２，２を直線状に連結した直線部１１ｃ，１１ｄとからなり、それぞれの直線部１１ａ〜１１ｄの柵部材２の左右方向端２１，２１同士が角部１２において直角に連結されている。そして、枠体２０には、横杆２３，２３間を左右方向所定間隔置き（例えば５〜７ｃｍ置き）に上下方向に連結する柵棒体２４，２４，…が設けられている。このサークル本体１０Ａは家屋内に設置されている。
【００２６】
また、図３に示すように、各柵部材２のうち、サークル本体１０の直線部１１ａにおいて互いに相隣なる双方の柵部材２，２は、その隣接し合う左右方向端２１，２１同士の表裏両側辺２１１，２１２をそれぞれ突き合わせた状態で直線部用固定具３により連結されている。一方、図４に示すように、サークル本体１０Ａの角部１２において互いに相隣なる双方の柵部材２，２は、その隣接し合う左右方向端２１，２１同士の裏側辺２１２，２１２のみを突き合わせた状態で角部用固定具４により連結されている。
【００２７】
前記各柵部材２の枠体２０の表裏方向における四隅（隅部）には、上下の横杆２３，２３の左右両端を当該各柵部材２の表裏方向（図３では手前奥方向）に貫通する表裏方向貫通孔２５が設けられているとともに、各縦杆２２の上下両端部をそれぞれ左右方向（図３では左右方向）に貫通する左右方向貫通孔２６が設けられている。
【００２８】
直線部用固定具３は、サークル本体１０Ａの直線部１１ａにおいて互いに相隣なる双方の柵部材２，２の互いの左右方向端２１の表裏方向貫通孔２５に対応する表裏方向対応孔３１，３１を長手方向両端部に有する合成樹脂製の長尺材３２を有し、かつこの長尺材３２を当該双方の柵部材２，２に亘って締結するように表裏方向貫通孔２５及び表裏方向対応孔３１にそれぞれ挿通される長尺材用締結具３３、又はサークル本体１０Ａの直線部１１ａにおいて互いに相隣なる双方の柵部材２，２の縦杆２２同士を締結するように当該縦杆２２同士の左右方向貫通孔２６，２６にそれぞれ挿通される縦杆用締結具３４のいずれかを備えている。この長尺材用締結具３３及び縦杆用締結具３４は、長さ方向一端に回転操作用フランジ３５１を備えた螺子軸３５２と、長さ方向一端に回転操作用フランジ３５３を有し、かつ螺子軸３５２を螺合可能とする螺子筒３５４とをそれぞれ備えている。そして、長尺材用締結具３３は、サークル本体１０Ａの直線部１１ａにおいて互いに相隣なる双方の柵部材２，２の互いの左右方向端２１の表裏方向貫通孔２５に対し長尺材３２の左右方向両端部の表裏方向対応孔３１，３１を対応させた状態で、各表裏方向対応孔３１から螺子軸３５２を挿通し、各表裏方向貫通孔２５から挿通した螺子筒３５４に螺合することで、当該双方の柵部材２，２に亘って長尺材３２を締結している。縦杆用締結具３４による締結については後述する。
【００２９】
一方、図５にも示すように、角部用固定具４は、中心角度が９０°の扇状に形成された扇状連結部材４１と、この扇状連結部材４１をサークル本体１０Ａの角部１２において互いに相隣なる双方の柵部材２，２の縦杆２２の枠体２０の裏側面２２１の上下両端に締結する螺着部材４２とを備えている。扇状連結部材４１は、サークル本体１０Ａの角部１２において互いに相隣なる双方の柵部材２，２の互いの左右方向端２１，２１同士の裏側辺２１２に隣接する裏側面２２１（縦杆２２の裏側面２２１）に対しそれぞれ対面する半径面部４１１，４１１を有し、この各半径面部４１１には表裏方向貫通孔２５に対応する対応穴４１２が設けられている。また、螺着部材４２は、軸材の側部にねじ孔４３１を有するナット４３と、このナット４３のねじ孔４３１に螺着されるねじ４４とを備えている。更に、扇状連結部材４１の一側面４１３には、ナット４３を収納するナット収納穴４１４，４１４が設けられ、この各ナット収納穴４１４は、各半径面部４１１の対応穴４１２に対して直交している。
【００３０】
各ナット４３は、扇状連結部材４１のナット収納穴４１４の径よりやや小さい径の金属軸材からなり、この軸部材の頭部には＋状の溝４３２が形成されている。そして、角部用固定具４は、角部１２において互いに相隣なる双方の柵部材２，２の互いに隣接する左右方向端２１，２１の表裏方向貫通孔２５に対し扇状連結部材４１の各半径面部４１１の対応穴４１２を対応させた状態で、各ナット収納穴４１４にナット４３を収納してから、表裏方向貫通孔２５を介して対応穴４１２に挿通させたねじ４４をナット４３のねじ孔４３１に螺着することで、当該双方の柵部材２，２に扇状連結部材４１を締結している。このとき、各ナット４３の頭部をその溝４３２に装填したドライバーなどにより回転させることで、対応穴４１２にねじ孔４３１を合致させて当該ねじ孔４３１に対するねじ４４の螺着を可能にしている。この場合、ねじ４４は、各横杆２３の表裏方向貫通孔２５及び対応穴４１２を介してナット４３のねじ孔４３１に螺着可能な長さに設定されている。
【００３１】
そして、図６にも示すように、サークル本体１０Ａには、当該サークル本体１０内の一部をトイレとして間仕切りする間仕切り部材５が設けられている。この間仕切り部材５は、各柵部材２の表裏方向貫通孔２５および左右方向貫通孔２６と同一の表裏方向貫通孔５５および左右方向貫通孔５６を有する枠体５０を備えている。この枠体５０は、断面略矩形状の左右の縦杆５２，５２と、これらの縦杆５２，５２の互いに向き合う対向面５２０，５２０の上下両端をそれぞれ連結する断面略矩形状の上下の横杆５３，５３と、からなる。また、間仕切り部材５には、その枠体５０内を不透明に目隠しする木製のパネル材５４が取り付けられている。なお、パネル材５４としては、合成樹脂などにより成形されたパネル材が適用されていてもよい。
【００３２】
間仕切り部材５は、サークル本体１０Ａの直線部１１ａにおいて互いに相隣なる双方の柵部材２，２のうちの一方の柵部材２に取り付けられている。この間仕切り部材５を取り付けるに当たり、該当するサークル本体１０の直線部１１ａにおいて互いに相隣なる双方の柵部材２，２同士を連結していた長尺材用締結具３３及び長尺材３２は取り外されている。そして、間仕切り部材５は、その左右方向端５１，５１のうちの一方の左右方向端５１の表側辺５１１又は裏側辺５１２とサークル本体１０Ａの直線部１１ａにおいて互いに相隣なる双方の柵部材２，２のうちの一方の柵部材２の他方の柵部材２側の左右方向端の裏側辺２１２とのみを突き合わせた状態で、当該一方の柵部材２に対し角部用固定具４によって連結されている。具体的には、角部用固定具４は、直線部１１ａにおいて互いに相隣なる双方の柵部材２，２のうちの一方の柵部材２の左右方向端２１の裏側面２２１の表裏方向貫通孔２５、及び間仕切り部材５の一方の左右方向端５１の表裏方向貫通孔５５に対し扇状連結部材４１の各半径面部４１１の対応穴４１２を対応させた状態で、各ナット収納穴４１４にナット４３を収納してから、表裏方向貫通孔２５，５５を介して対応穴４１２に挿通させたねじ４４をナット４３のねじ孔４３１に螺着することで、当該一方の柵部材２及び間仕切り部材５に扇状連結部材４１を締結している。
【００３３】
また、間仕切り部材５を角部用固定具４により連結した一方の柵部材２とこれと相隣なる他方の柵部材２とは、互いの縦杆２２同士の左右方向貫通孔２６，２６にそれぞれ挿通される縦杆用締結具３４によって締結されている。具体的には、縦杆用締結具３４は、サークル本体１０Ａの直線部１１ａにおいて互いに相隣なる双方の柵部材２，２の縦杆２２同士の左右方向貫通孔２６，２６を対応させた状態で、一方の左右方向貫通孔２６から螺子軸３５２を挿通し、他方の左右方向貫通孔２６から挿通した螺子筒３５４に螺合することで、当該双方の柵部材２，２の縦杆２２同士を締結している。
【００３４】
更に、図１及び図２に示すように、サークル本体１０Ａの１つの角部１２において互いに相隣なる双方の柵部材２，２のうちの一方の柵部材２が、左右の縦杆６２，６２とこれらの縦杆６２の下端を連結する横杆６３とこれらの各杆６２，６３により形成された出入口６８を開閉する扉６９とを備えた出入口用柵部材６に置換されている。この出入口用柵部材６は、その各縦杆６２が柵部材２及び間仕切り部材５の各縦杆２２，５２よりも幅広（例えば２倍の左右方向幅）に形成され、当該各縦杆６２の上下両端部に表裏方向貫通孔６５を備えている。また、扉６９は、枠体６０を構成する一方の縦杆６２にヒンジ金具（図示せず）を介して揺動自由に支持されている。なお、図１及び図２における符号６１は出入口用柵部材６の左右方向端（縦杆６２の左右方向端）である。
【００３５】
したがって、本実施の形態では、表裏方向貫通孔２５および左右方向貫通孔２６を有する各柵部材２の枠体２０と同一の枠体５０を備えた間仕切り部材５を用い、この間仕切り部材５の枠体５０内をパネル材５４によって不透明に目隠しすることで、各柵部材２を流用してこの枠体２０と同一の枠体５０からなる間仕切り部材５が製作される。そして、間仕切り部材５の一方の左右方向端５１とサークル本体１０Ａの直線部１１ａにおいて互いに相隣なる双方の柵部材２，２のうちの一方の柵部材２における他方の柵部材２側の左右方向端２１とを、互いの裏側辺５１２，２１２同士のみを突き合わせた状態で角部用固定具４により連結している。これにより、同一の枠体５０よりなる各柵部材２を流用した間仕切り部材５にパネル材５４を用いて枠体５０内を目隠しすることで、各柵部材２の枠体２０を共有した間仕切り部材５を製作する際のコストを低く抑えることができる。その上、間仕切り部材５を柵部材２に連結するための専用の連結具が不要となり、サークル本体１０Ａの角部１２において柵部材２の左右方向端２１，２１同士を連結する角部用固定具４をそのまま用いて間仕切り部材５を柵部材２に連結することができる。よって、間仕切り部材５を設置する際のコストを低く抑えることができる。
【００３６】
また、サークル本体１０Ａの１つの角部１２において互いに相隣なる双方の柵部材２，２のうちの一方の柵部材２が出入口用柵部材６に置換されているので、サークル本体１０Ａ内からのペットの出し入れを円滑に行うことができる。
【００３７】
次に、本発明の第２の実施の形態を図７に基づいて説明する。
この実施の形態では、２枚の間仕切り部材５，５を用いてサークル本体１０Ａ内を間仕切りしている。なお、第１の実施の形態と同一の部分については同じ符号を付してその詳細な説明は省略する。
【００３８】
すなわち、本実施の形態では、図７に示すように、直線部１１ａにおいて互いに相隣なる双方の柵部材２，２のうちの一方の柵部材２に一方の左右方向端５１が連結された間仕切り部材５の他方の左右方向端５１に対し２枚目の間仕切り部材５の一方の左右方向端５１が直線部用固定具３により真直ぐに連結されて、ペット用サークル１Ａのサークル本体１０Ａ内を通路状に間仕切りしている。具体的には、直線部用固定具３としては、長尺材用締結具３３が適用され、この長尺材用締結具３３は、互いに相隣なる双方の間仕切り部材５，５の表裏方向貫通孔５５に対し長尺材３２の左右方向両端部の表裏方向対応孔３１，３１を対応させた状態で、各表裏方向対応孔３１から螺子軸３５２を挿通し、各表裏方向貫通孔５５から挿通した螺子筒３５４に螺合することで、当該双方の間仕切り部材５，５に亘って長尺材３２を締結している。
【００３９】
この場合、２枚の間仕切り部材５，５を、直線部１１ａにおいて互いに相隣なる双方の柵部材２，２のうちの一方の柵部材２に一方の左右方向端５１が連結された間仕切り部材５の他方の左右方向端５１に直線部用固定具３（長尺材３２）により真直ぐに連結して、サークル本体１０Ａ内を通路状に間仕切りすることで、サークル本体１０Ａ内を２枚の間仕切り部材５，５により広範囲に間仕切って、複数収容した際のペット同士の接触を効率よく緩和させることができる一方、単数収容した際のペットのしつけを効果的に行うことができる。その上、トイレで用を足す際のペットの所作を効率よく隠すことができる。
【００４０】
なお、前記第２の実施の形態では、２枚の間仕切り部材５，５によりサークル本体１０Ａ内を間仕切ったが、図８及び図９に示すように、ペット用サークル１Ｂのサークル本体１０Ｂを、縦方向（図８では上下方向）に３枚の柵部材２，２，２を直線状に連結した直線部１１ａ，１１ｂと、横方向（図８では左右方向）に３枚の柵部材２，２，２を直線状に連結した直線部１１ｃ，１１ｄとのそれぞれの直線部１１ａ〜１１ｄの柵部材２の左右方向端２１，２１同士を角部１２において直角に連結して略正方形状に構成するとともに、３枚の間仕切り部材５，５，５を用い、この３枚の間仕切り部材５，５，５を、直線部１１ａにおいて互いに相隣なる双方の柵部材２，２のうちの一方の柵部材２に一方の左右方向端５１が連結された間仕切り部材５の他方の左右方向端５１に対し、角部用固定具４（扇状連結部材４１）により最後の３枚目の間仕切り部材５まで直角に続けて連結して、サークル本体１０Ｂ内を迷路状に間仕切りしていてもよい。この場合、サークル本体１０Ｂ内を３枚の間仕切り部材５，５，５によってより広範囲に間仕切って、複数収容した際のペット同士の接触をより効率よく緩和させることができる一方、単数収容した際のペットのしつけを効果的に行うことができる。その上、トイレで用を足す際のペットの所作をより効率よく隠すことが可能となる。
【００４１】
また、図１０に示すように、３枚の間仕切り部材５，５，５を用い、この３枚の間仕切り部材５，５，５のうちの２枚の間仕切り部材５，５を、直線部１１ｃにおいて互いに相隣なる双方の柵部材２，２のうちの一方の柵部材２に一方の左右方向端５１が連結された間仕切り部材５の他方の左右方向端５１に対し角部用固定具４（扇状連結部材４１）により直角に続けて連結するとともに、最後の間仕切り部材５を、サークル本体１０Ｂの周方向に離れた直線部１１ｂにおいて互いに相隣なる他の双方の柵部材２，２のうちの一方の柵部材２の左右方向端２１に対し角部用固定具４により直角に続けて連結して、サークル本体１０Ｂ内を３枚の間仕切り部材５，５，５により迷路状に間仕切りしてもよい。この場合においても、複数収容した際のペット同士の接触をより効率よく緩和させることができる一方、単数収容した際のペットのしつけを効果的に行うことができる。その上、トイレで用を足す際のペットの所作をより効率よく隠すことが可能となる。
【００４２】
更に、図１１に示すように、ペット用サークル１Ｃのサークル本体１０Ｃを、縦方向（図１１では上下方向）に７枚の柵部材２，２，…を直線状に連結した直線部１１ａ，１１ｂと、横方向（図１１では左右方向）に６枚の柵部材２，２，…を直線状に連結した直線部１１ｃ，１１ｄとのそれぞれの直線部１１ａ〜１１ｄの柵部材２の左右方向端２１，２１同士を角部１２において直角に連結して矩形状に構成するとともに、数十枚の間仕切り部材５，５，…を用い、これらの間仕切り部材５，５，…を、直線部１１ａ〜１１ｄにおいて互いに相隣なるサークル本体１０Ｃの周方向複数箇所の双方の柵部材２，２のうちの一方の柵部材２に一方の左右方向端５１を連結した間仕切り部材５の他方の左右方向端５１に対し直線部用固定具３（長尺材３２）により真直ぐ、または角部用固定具４（扇状連結部材４１）により直角に最後の間仕切り部材５まで続けて連結して、サークル本体１０Ｃ内を数十枚の間仕切り部材５，５，…により迷路状に間仕切りしてもよい。また、サークル本体１０Ｃの直線部１１ａの一側端（図１１では上端）の柵部材２及び直線部１１ｄの一側端（図１１では右端）の柵部材２は、それぞれ出入口用柵部材６に置換されている。この場合には、複数収容した際のペット同士の接触をさらに効率よく緩和させることが可能となる一方、単数収容した際のペットのしつけを効果的に行うことができる。その上、トイレで用を足す際のペットの所作をよりさらに効率よく隠すことが可能となる。加えて、ペットの遊び場として有効利用することも可能となる。
【００４３】
次に、本発明の第３の実施の形態を図１２及び図１３に基づいて説明する。
この実施の形態では、２枚の間仕切り部材５，５を用いてサークル本体１０Ｄ内を間仕切りして空間を画成している。なお、第１の実施の形態と同一の部分については同じ符号を付してその詳細な説明は省略する。
【００４４】
すなわち、本実施の形態では、図１２及び図１３に示すように、ペット用サークル１Ｄは、縦方向（図１２では上下方向）に２枚の柵部材２，２を直線状に連結した直線部１１ａ，１１ｂと、横方向（図１２では左右方向）に２枚の柵部材２，２を直線状に連結した直線部１１ｃ，１１ｄとからなり、それぞれの直線部１１ａ〜１１ｄの柵部材２の左右方向端２１，２１同士が角部１２において直角に連結されて略正方形状のサークル本体１０Ｄを構成している。そして、サークル本体１０Ｄの直線部１１ｂ，１１ｃは家屋内の壁面（図示せず）に沿って設置されている。この壁面に沿って配置される直線部１１ｂ，１１ｃの柵部材２，２，…は、その枠体２０内を不透明に目隠しするパネル材５４を備えている。なお、パネル材５４としては、合成樹脂などにより成形されたパネル材が適用されていてもよい。
【００４５】
直線部１１ｂにおいて互いに相隣なる双方の柵部材２，２のうちの一方の柵部材２に一方の左右方向端５１が連結された間仕切り部材５の他方の左右方向端５１に対し２枚目の間仕切り部材５の一方の左右方向端５１が角部用固定具４（扇状連結部材４１）により直角に連結されている。この２枚目の間仕切り部材５の他方の左右方向端５１は、直線部１１ｂの各柵部材とはサークル本体１０Ｄの周方向に離れた直線部１１ｃの双方の柵部材２，２のうちの一方の柵部材２（図１２では右側の柵部材２）における他方の柵部材２側（図１２では左側）の左右方向端２１に対し角部用固定具４により直角に連結されて、サークル本体１０Ｄ内に間仕切りされた空間Ａを２枚の間仕切り部材５，５により画成している。このとき、直線部１１ｂ，１１ｃにおいてそれぞれ間仕切り部材５を角部用固定具４により連結した柵部材２，２同士は、互いの縦杆２２同士の左右方向貫通孔２６，２６にそれぞれ挿通される縦杆用締結具３４によって締結されている。
【００４６】
直線部１１ｃの一方の柵部材２に連結された２枚目の間仕切り部材５は、左右の縦杆７２，７２とこれらの縦杆７２の下端を連結する横杆７３とこれらの各杆７２，７３により形成された出入口７８を開閉する扉７９とを備えた出入口用間仕切り部材７に置換されている。この出入口用間仕切り部材７は、その各縦杆７２が柵部材２及び間仕切り部材５の各縦杆２２，５２よりも幅広（例えば２倍程度の左右方向幅）に形成され、当該各縦杆７２の上下両端部に表裏方向貫通孔７５を備えている。また、扉７９は、枠体７０を構成する一方の縦杆７２にヒンジ金具（図示せず）を介して揺動自由に支持されている。なお、図１２及び図１３における符号７１は出入口用間仕切り部材７の左右方向端（縦杆７２の左右方向端）である。そして、直線部１１ａ，１１ｃにおいて互いに相隣なる柵部材２，２の左右方向端２１同士を連結する直線部用固定具３としては、長尺材用締結具３３が適用されている。一方、直線部１１ｂ，１１ｄにおいて互いに相隣なる柵部材２，２の左右方向端２１同士を連結する直線部用固定具３としては、縦杆用締結具３４が適用されている。また、出入口用間仕切り部材７には、その枠体７０内を不透明に目隠しする木製のパネル材７４が取り付けられている。
【００４７】
この場合、２枚の間仕切り部材５，５のうちの最後に連結された２枚目の間仕切り部材５の他方の左右方向端５１を、１枚目の間仕切り部材５が連結された直線部１１ｂの柵部材２とはサークル本体１０Ｄの周方向に離れた直線部１１ｃの一方の柵部材２に角部用固定具４により直角に連結して、サークル本体１０Ｄ内に間仕切りされた空間Ａを２枚の間仕切り部材５，５により画成することで、サークル本体１０Ｄ内でのペットの行動範囲を空間Ａで制限しつつ、トイレで用を足す際のペットの所作を効率よく隠すことができる。
【００４８】
また、家屋内の壁面に沿って配置される直線部１１ｂ，１１ｃの柵部材２，２，…の枠体２０内がパネル材５４によって不透明に目隠しされているので、家屋内の壁面がパネル材５４によって保護され、家屋内の壁面を清浄に保つことができる。
【００４９】
更に、２枚目の間仕切り部材５が出入口用間仕切り部材７に置換されているので、間仕切り部材５，５により画成された空間Ａ内からのペットの出入りを円滑に行うことができる上、ペットの行動範囲を空間Ａ内とサークル本体１０Ｄ内とに簡単に切り換えることができる。
【００５０】
なお、前記第３の実施の形態では、サークル本体１０Ａ内に２枚の間仕切り部材５，５によって空間Ａを間仕切ったが、図１４に示すように、サークル本体１０Ａ内に３枚の間仕切り部材５〜５によって間仕切った空間Ａが画成されていてもよい。この場合、各間仕切り部材５のうちの１枚の間仕切り部材が出入口用間仕切り部材７に置換されている。
【００５１】
また、図１５に示すように、サークル本体１０Ａ内に３枚の間仕切り部材５〜５によって間仕切った空間Ｂが画成されていてもよい。この場合、各間仕切り部材５のうちの１枚の間仕切り部材が出入口用間仕切り部材７に置換されている。
【００５２】
また、図１６に示すように、サークル本体１０Ｂ内の中央部に５枚の間仕切り部材５〜５によって間仕切った空間Ａが画成されていてもよい。この場合、空間Ａの周囲を構成する４枚の間仕切り部材５〜５のうちの１枚の間仕切り部材が出入口用間仕切り部材７に置換されている。
【００５３】
更に、図１７及び図１８に示すように、ペット用サークル１Ｅのサークル本体１０Ｅを、縦方向（図１７では上下方向）に１枚ずつ配置した柵部材２と、横方向（図１７では左右方向）に直線状に連結した４枚の柵部材２，２，２からなる直線部１１ｃ，１１ｄとの左右方向端２１，２１同士を角部１２において直角に連結して略長方形状に構成し、直線部１１ｄの一側端（図１７では右端）の柵部材を出入口用柵部材６に置換するとともに、直線部１１ｄ及び直線部１１ｃの他側端（図１７では左端）の柵部材２，２の一側端となる左右方向端２１同士にそれぞれ連結して空間Ａを画成する１枚の間仕切り部材が、出入口用間仕切り部材７に置換されていてもよい。
【００５４】
次に、本発明の第４の実施の形態を図１９及び図２０に基づいて説明する。
この実施の形態では、間仕切り部材として既存の柵部材２を用いてサークル本体１０Ａ内を間仕切りしている。なお、第１の実施の形態と同一の部分については同じ符号を付してその詳細な説明は省略する。
【００５５】
すなわち、本実施の形態では、図１９及び図２０に示すように、ペット用サークル１Ｄは、縦方向（図１９では上下方向）に２枚の柵部材２，２を直線状に連結した直線部１１ａ，１１ｂと、横方向（図１９では左右方向）に３枚の柵部材２，２，２を直線状に連結した直線部１１ｃ，１１ｄとからなる。そして、横方向の一方（図１９では上側）の直線部１１ｃにおいて互いに相隣なる双方の柵部材２，２のうちの一方の柵部材２（図１９では右端の柵部材２）に対し間仕切り部材としての柵部材２が角部用固定具４（扇状連結部材４１）により直角に連結されている。
【００５６】
この場合には、柵部材２により間仕切りした部位にトイレを設置すれば、トイレでの用便に集中できて周囲を汚すおそれが解消される一方、ベットを設置すれば、睡眠中のペットが睡眠に集中できて安眠が促進される。これにより、複数収容した際のペット同士の接触を円滑に緩和することが可能となる一方、単数収容した際のペットのしつけを効果的に行うことが可能となる。しかも、各柵部材２の柵棒体２４を介してペットの所作が素通しで確認でき、ペットの所作を安心して見守ることが可能となる。
【００５７】
なお、図２１に示すように、横方向の一方（図１９では上側）の直線部１１ｃにおいて互いに相隣なる双方の柵部材２，２のうちの一方の柵部材２のそれぞれに対し間仕切り部材としての柵部材２を角部用固定具４（扇状連結部材４１）により直角に連結し、当該一方の直線部１１ｃ側においてそれぞれ柵部材２により間仕切りしたトイレ及びベットを設置していてもよい。この場合には、トイレでの用便に集中できて周囲を汚すおそれが解消され、ベットを設置すれば、睡眠中のペットが睡眠に集中できて安眠が促進され、複数収容したペット同士の接触を効果的に緩和することが可能となる一方、単数収容した際のペットのしつけを効果的に行うことが可能となる。
【００５８】
次に、本発明の第５の実施の形態を図２２及び図２３に基づいて説明する。
この実施の形態では、既存の柵部材２よりも横方向の長さが略１．５倍長い柵部材８を用いてサークル本体１０Ｆを略矩形枠状に構成している。なお、第１の実施の形態と同一の部分については同じ符号を付してその詳細な説明は省略する。
【００５９】
すなわち、本実施の形態では、図２２及び図２３に示すように、ペット用サークル１Ｆのサークル本体１０Ｆは、縦方向（図２２では上下方向）に１枚の柵部材８よりなる直線部１１ａ，１１ｂと、横方向（図２２では左右方向）に３枚の柵部材２，２，２を直線状に連結した直線部１１ｃ，１１ｄとからなる。そして、横方向の一方（図２２では上側）の直線部１１ｃにおいて互いに相隣なる双方の柵部材２，２のうちの一方の柵部材２（図２２では右端の柵部材２）に対し間仕切り部材としての柵部材２が角部用固定具４（扇状連結部材４１）により直角に連結されている。
【００６０】
直線部１１ａ，１１ｂの柵部材８の枠体８０は、断面略矩形状の左右の縦杆８２，８２と、これらの縦杆８２，８２の上下両端をそれぞれ連結する断面略矩形状の上下の横杆８３，８３と、からなる。また、枠体８０には、横杆８３，８３間を左右方向所定間隔置き（例えば５〜７ｃｍ置き）に上下方向に連結する柵棒体８４，８４，…が設けられている。
【００６１】
この場合、横方向の長さが柵部材２よりも略１．５倍長い柵部材８を縦方向の直線部１１ａ，１１ｂに用いることで、より広い要求に応じたペット用サークル１Ｆを提供することが可能となる。
【符号の説明】
【００６２】
１Ａ〜１Ｆ  ペット用サークル
１０Ａ〜１０Ｆ  サークル本体
１１ａ〜１１ｄ  直線部
１２        角部
２          柵部材
２０        枠体
２１        左右方向端
２１１      表側辺
２１２      裏側辺
２２        縦杆
２２１      裏側面
２３        横杆
２５        表裏方向貫通孔
２６        左右方向貫通孔
３          直線部用固定具
３１        表裏方向対応孔
３２        長尺材
３３        長尺材用締結具
３４        縦杆用締結具
４          角部用固定具
４１        扇状連結部材
４１１      半径面部
４１２      対応穴
４２        螺着部材
５          間仕切り部材
５０        枠体
５１        左右方向端
５４        パネル材
５５        表裏方向貫通孔
５６        左右方向貫通孔
６          出入口用柵部材
６２        縦杆
６３        横杆
６８        出入口
６９        扉
７          出入口用間仕切り部材
７２        縦杆
７３        横杆
７８        出入口
７９        扉
８          柵部材
８２        縦杆
８３        横杆
Ａ，Ｂ      空間
【図１】
2013212090.tif 000003
【図２】
2013212090.tif 000004
【図３】
2013212090.tif 000005
【図４】
2013212090.tif 000006
【図５】
2013212090.tif 000007
【図６】
2013212090.tif 000008
【図７】
2013212090.tif 000009
【図８】
2013212090.tif 000010
【図９】
2013212090.tif 000011
【図１０】
2013212090.tif 000012
【図１１】
2013212090.tif 000013
【図１２】
2013212090.tif 000014
【図１３】
2013212090.tif 000015
【図１４】
2013212090.tif 000016
【図１５】
2013212090.tif 000017
【図１６】
2013212090.tif 000018
【図１７】
2013212090.tif 000019
【図１８】
2013212090.tif 000020
【図１９】
2013212090.tif 000021
【図２０】
2013212090.tif 000022
【図２１】
2013212090.tif 000023
【図２２】
2013212090.tif 000024
【図２３】
2013212090.tif 000025